(57)【要約】【課題】先セルに眼鏡取り付け具を着脱自在に取り付けることが可能であると共に、当該眼鏡取り付け具の取り付けによって先セルに傷が生じたり、眼鏡取り付け具が破損することが防止された眼鏡フレームを提供することを課題とする。【解決手段】前枠２１、テンプル２２、先セル２３、先セル２３の下面に開口部２５を有し、開口部２５から略上方に延びる挿入孔２４、及び、先セル２４に取り付けられた軸部材２６を具備する眼鏡フレーム本体２と、先セル２３に着脱自在に取り付けられる眼鏡取り付け具３とを備え、眼鏡取り付け具３は、軸部材が挿脱可能に且つその軸周りに揺動可能に挿入される揺動部材３１と、揺動部材３１に取り付けられ、耳の裏側に当接可能な耳当て部材３４と、挿入孔２４に挿脱可能に挿入される突起部材３５と、突起部材３５と耳当て部材３４の前端部３４１とを連結する可撓性の絡み防止部材３６とを具備する眼鏡フレーム１を提供する。【選択図】図１
0003139166.tif 000002
【実用新案登録請求の範囲】
【請求項１】
レンズを保持するための前枠、前記前枠の両端からそれぞれ後方に延出する一対のテンプル、前記テンプルに取り付けられる先セル、前記先セルの下面に開口部を有し、前記開口部から略上方に延びる挿入孔、及び、前記先セルの前記挿入孔が設けられた部位より後方の所定部に、その長手方向が前記先セルの左右方向に向くように取り付けられた軸部材を具備する眼鏡フレーム本体と、
前記先セルに着脱自在に取り付けられる眼鏡取り付け具とを備え、
前記眼鏡取り付け具は、
前記軸部材の断面寸法よりも小さい開口部、及び、前記軸部材が前記開口部を押し拡げて、前記開口部を通過することによって、前記軸部材が挿脱可能に、且つ、その軸周りに揺動可能に挿入される挿入空間部を有する揺動部材と、
前記揺動部材に取り付けられ、耳の裏側に当接可能な耳当て部材と、
前記挿入孔に挿脱可能に挿入される突起部材と、
前記突起部材に取り付けられ、前記突起部材と前記耳当て部材の前端部とを連結する可撓性の絡み防止部材とを具備することを特徴とする眼鏡フレーム。
【請求項２】
前記突起部材の断面寸法は、前記挿入孔の断面寸法より大きく、且つ、前記突起部材は、弾性的に断面寸法が変動するように伸縮可能であることを特徴とする請求項１に記載の眼鏡フレーム。
【請求項３】
前記挿入孔は、小断面孔部と、前記小断面孔部に連設し、且つ、前記小断面孔部の奥側に位置する大断面孔部と、前記小断面孔部及び前記大断面孔部によって形成された段差部とを有し、
前記突起部材は、基端部に前記絡み防止部材が取り付けられた小断面突起部と、前記小断面突起部の先端部と連設し、弾性的に断面寸法が変動するように伸縮可能であり、且つ、前記挿入孔の前記小断面孔部より断面寸法が大きい大断面突起部と、前記小断面突起部及び前記大断面突起部によって形成された段差部とを有することを特徴とする請求項１に記載の眼鏡フレーム。
【請求項４】
前記先セル及び前記突起部材の何れか一方に磁石が、何れか他方に磁着部が設けられ、
前記突起部材を前記挿入孔に挿入した状態において、前記先セルと前記突起部材とが磁着することを特徴とする請求項１〜３の何れか１項に記載の眼鏡フレーム。
【考案の詳細な説明】
【技術分野】
【０００１】
本考案は、眼鏡フレームのずれ落ちを防止し、眼鏡フレームを取り外す際に髪の毛の眼鏡フレームへの絡みを防止する眼鏡取り付け具を先セルに着脱自在に取り付けることが可能であると共に、当該眼鏡取り付け具の取り付けによって先セルに傷が生じたり、眼鏡取り付け具が破損することが防止された眼鏡フレームに関する。
【背景技術】
【０００２】
本出願人は、眼鏡フレームのずれ落ちを防止し、眼鏡フレームを取り外す際に髪の毛の眼鏡フレームへの絡みを防止することを目的とした眼鏡取り付け具を出願している（特許文献１）。この眼鏡取り付け具は、テンプルの後部に着脱可能であり、スポーツ時など眼鏡フレームがずれ落ちる恐れが大きい場合などの特定の場合にのみ、眼鏡フレームに取り付けて使用することができる。かかる眼鏡取り付け具は、テンプルの後部に着脱可能に取り付けられるクリップ部を備えている。特許文献１の図５（ａ）及び図５（ｂ）に示されるように、クリップ部３０ｄ、４ａは、ゴムや樹脂等の可撓性部材で形成されており、内径がテンプル２０の後部の外径よりわずかに小さい略管状体に構成されている。更に、クリップ部３０ｄ、４ａは、クリップ部３０ｄ、４ａの直径より幅の狭い開口部が長手方向（径方向及び周方向に直交する方向）に沿って形成されている。クリップ部３０ｄ、４ａは、開口部からテンプル２０の後部をクリップ部３０ｄ、４ａの内側に嵌入することによりテンプル２０の後部に取り付けられる。
【０００３】
しかしながら、眼鏡フレームの装着時においては、眼鏡フレームに前後方向（テンプルの長手方向）の力が掛かり易い。従って、前述の眼鏡取り付け具をテンプル２０の後部に取り付けた状態では、テンプルの長手方向の力によって、眼鏡取り付け具がテンプル２０の長手方向にずれる恐れがある。このようなずれを防止する方法として、クリップ部３０ｄ、４ａの内径を小さくして、眼鏡フレームにテンプルの長手方向の力が掛かると、クリップ部３０ｄ、４ａとテンプル２０との間に大きな摩擦力を作用させる方法を考えることができる。
【０００４】
クリップ部３０ｄ、４ａの内径を小さくした場合、テンプル２０をクリップ部３０ｄ、４ａに嵌入する際に、クリップ部３０ｄ、４ａの開口部を大きく拡げる必要がある。しかしながら、開口部が大きく拡がっていないと、クリップ部３０ｄ、４ａの内側にテンプル２０を嵌入する際に、クリップ部３０ｄ、４ａの開口部の両側の部分とテンプル２０の表面とが接触し、テンプル２０に傷が付く恐れがある。また、テンプル２０を嵌入する際には、クリップ部３０ｄ、４ａの開口部を大きく拡げる必要があるので、テンプル２０を嵌入する際に、クリップ部３０ｄ、４ａが破損する恐れがある。更に、テンプル２０を嵌入した状態では、テンプル２０の長手方向の力がクリップ部３０ｄ、４ａに掛かると、テンプル２０とクリップ部３０ｄ、４ａとの間に大きな摩擦力が作用するため、テンプル２０に傷が生じ易い。
【特許文献１】特許３５２６５７１号公報
【考案の開示】
【考案が解決しようとする課題】
【０００５】
本考案は、テンプルに取り付けられる先セルに眼鏡取り付け具を着脱自在に取り付けることが可能であると共に、当該眼鏡取り付け具の取り付けによって先セルに傷が生じたり、眼鏡取り付け具が破損することが防止された眼鏡フレームを提供することを課題とする。
【課題を解決するための手段】
【０００６】
本考案は、レンズを保持するための前枠、前記前枠の両端からそれぞれ後方に延出する一対のテンプル、前記テンプルに取り付けられる先セル、前記先セルの下面に開口部を有し、前記開口部から略上方に延びる挿入孔、及び、前記先セルの前記挿入孔が設けられた部位より後方の所定部に、その長手方向が前記先セルの左右方向に向くように取り付けられた軸部材を具備する眼鏡フレーム本体と、前記先セルに着脱自在に取り付けられる眼鏡取り付け具とを備え、前記眼鏡取り付け具は、前記軸部材の断面寸法よりも小さい開口部、及び、前記軸部材が前記開口部を押し拡げて、前記開口部を通過することによって、前記軸部材が挿脱可能に、且つ、その軸周りに揺動可能に挿入される挿入空間部を有する揺動部材と、前記揺動部材に取り付けられ、耳の裏側に当接可能な耳当て部材と、前記挿入孔に挿脱可能に挿入される突起部材と、前記突起部材に取り付けられ、前記突起部材と前記耳当て部材の前端部とを連結する可撓性の絡み防止部材とを具備することを特徴とする眼鏡フレームを提供する。
【０００７】
本考案に係る眼鏡フレームは、眼鏡フレーム本体と、該眼鏡フレーム本体の先セルに着脱自在に取り付けられる眼鏡取り付け具を備える。眼鏡フレーム本体に対する眼鏡取り付け具の取り付けは、眼鏡フレーム本体の軸部材が眼鏡取り付け具の揺動部材の挿入空間部に挿入し、眼鏡フレーム本体の挿入孔に眼鏡取り付け具の突起部材が挿入することで行われる。一方、眼鏡フレーム本体に対する眼鏡取り付け具の取り外しは、眼鏡フレーム本体の軸部材が眼鏡取り付け具の揺動部材の挿入空間部から抜き出し、眼鏡フレーム本体の挿入孔から眼鏡取り付け具の突起部材を抜き出すことで行われる。
【０００８】
揺動部材は、軸部材の断面寸法よりも小さい開口部を有し、該開口部を軸部材が通過することによって、軸部材の挿入空間部に対する挿脱が可能な構成とされている。軸部材の断面寸法は、軸部材の長手方向に対して直交する断面の最小寸法である。尚、該軸部材の長手方向に対して直交する断面が円形である場合は、この最小寸法は、該断面の外径となる。開口部は、このような最小寸法より小さいため、軸部材を挿入空間部からの抜き出しは、開口部を拡げる必要がある。このように、軸部材を挿入空間部からの抜き出すためには、開口部を拡げる必要があるので、本考案に係る眼鏡フレームにおいては、振動や重力によって軸部材が挿入空間部から抜け出ることが防止される。また、挿入孔は、先セルの下面に開口部を有しているので、挿入孔に挿入された突起部材は、下方に抜け出ることが可能である。しかし、眼鏡フレーム本体に眼鏡取り付け具を取り付けた状態で、眼鏡フレームを使用者が装着する場合は、眼鏡取り付け具の耳当て部材を耳の裏側に掛けるため、眼鏡フレーム装着時においては、耳によって突起部材が挿入孔から抜け出ることが阻止される。よって、本考案に係る眼鏡フレームにおいては、使用者が装着しているときは、突起部材が挿入孔から抜け出る恐れがない。以上のように、本考案に係る眼鏡フレームは、軸部材が挿入空間部から抜け出ること、及び、突起部材が挿入孔から抜け出ることが防止されているので、眼鏡フレームを使用者が装着しているときは、振動や重力の影響等によって、眼鏡フレーム本体から眼鏡取り付け具が外れることが防止されている。
【０００９】
また、前述のように、眼鏡フレーム本体に眼鏡取り付け具を取り付けた状態においては、挿入孔に突起部材が挿入される。この挿入孔は、開口部から略上方に延びており、テンプルの長手方向に対して略直交方向に延びる孔である。よって、眼鏡フレーム本体に眼鏡取り付け具を取り付けた状態においては、テンプルの長手方向の力が眼鏡フレームに掛かっても、眼鏡取り付け具がテンプルの長手方向にずれ難い。本考案に係る眼鏡フレームは、このようにして眼鏡取り付け具がテンプルの長手方向にずれることが防止されているので、従来のように、クリップ部の内径を小さくする必要が無く、このため、先セルに傷が付いたり、眼鏡取り付け具が破損する恐れがない。また、眼鏡フレーム本体に眼鏡取り付け具を取り付けた状態においては、突起部材は挿入孔に挿入されるため、外部から見えない。よって、本考案に係る眼鏡フレームは、突起部材によって外観を損ねることなく、眼鏡フレーム本体に眼鏡取り付け具を取り付けた状態で装着することができる。また、眼鏡取り付け具を取り外した状態で眼鏡フレーム本体のみを装着する場合おいては、眼鏡フレーム本体の先セルは耳に掛けられるため、先セルの下面に位置する挿入孔の開口部が外部から見え難い。よって、本考案に係る眼鏡フレームは、挿入孔によって眼鏡フレーム本体の外観を損ねることなく眼鏡フレーム本体のみを装着することができる。
【００１０】
好ましい構成として、前記突起部材の断面寸法は、前記挿入孔の断面寸法より大きく、且つ、前記突起部材は、弾性的に断面寸法が変動するように伸縮可能である構成を挙げることができる。
【００１１】
突起部材の断面寸法は、突起方向に対して直交する断面の最大寸法又は最小寸法である。また、挿入孔の断面寸法は、突起部材の断面寸法が前記の最大寸法である場合は、挿入孔の延びる方向に対して直交する断面の最大寸法であり、突起部材の断面寸法が前記の最小寸法である場合は、挿入孔の延びる方向に対して直交する断面の最小寸法である。尚、突起部材の突起方向に対して直交する断面が円形である場合、突起部材の断面寸法は、該断面の外径となる。同様に、挿入孔の延びる方向に対して直交する断面が円形である場合は、挿入孔の断面寸法は、該断面の内径となる。また、突起部材の突起方向に対して直交する断面、及び、挿入孔の延びる方向に対して直交する断面が矩形である場合、突起部材の断面寸法は、突起方向に対して直交する断面の長辺又は短辺の長さである。また、突起部材の突起方向に対して直交する断面、及び、挿入孔の延びる方向に対して直交する断面が矩形である場合、挿入孔の断面寸法は、突起部材の断面寸法が前記の長辺の長さであるときは、挿入孔の延びる方向に対して直交する断面の長辺の長さであり、突起部材の断面寸法が前記の短辺の長さであるときは、挿入孔の延びる方向に対して直交する断面の短辺の長さである。また、突起部材の突起方向に対して直交する断面、及び、挿入孔の延びる方向に対して直交する断面が楕円である場合、突起部材の断面寸法は、突起方向に対して直交する断面の長軸又は短軸の長さである。また、突起部材の突起方向に対して直交する断面、及び、挿入孔の延びる方向に対して直交する断面が楕円である場合、挿入孔の断面寸法は、突起部材の断面寸法が前記の長軸の長さであるときは、挿入孔の延びる方向に対して直交する断面の長軸の長さであり、突起部材の断面寸法が前記の短軸の長さであるときは、挿入孔の延びる方向に対して直交する断面の短軸の長さである。
【００１２】
かかる好ましい構成においては、突起部材の断面寸法は、挿入孔の断面寸法より大きいため、突起部材が挿入孔に挿入された状態では、突起部材は、弾性的に断面寸法が小さくなるように収縮している。よって、突起部材が挿入孔に挿入された状態では、突起部材に断面寸法が大きくなるように伸張する弾性力が生じ、該弾性力によって、突起部材が挿入孔の周囲を形成する先セルを押圧することで、突起部材と先セルとの間に強い摩擦力が作用する。従って、かかる好ましい構成においては、突起部材が挿入孔から抜け難く、ひいては、眼鏡フレーム装着時において、振動や重力の影響等によって、眼鏡フレーム本体から眼鏡取り付け具が外れることが防止される。
【００１３】
好ましい構成として、前記挿入孔は、小断面孔部と、前記小断面孔部に連設し、且つ、前記小断面孔部の奥側に位置する大断面孔部と、前記小断面孔部及び前記大断面孔部によって形成された段差部とを有し、前記突起部材は、基端部に前記絡み防止部材が取り付けられた小断面突起部と、前記小断面突起部の先端部と連設し、弾性的に断面寸法が変動するように伸縮可能であり、且つ、前記挿入孔の前記小断面孔部より断面寸法が大きい大断面突起部と、前記小断面突起部及び前記大断面突起部によって形成された段差部とを有する構成を挙げることができる。
【００１４】
大断面孔部は、挿入孔が延びる方向に対して直交する方向において、小断面孔部の外側にまで拡がっている部分をいう。また、大断面突起部は、突起部材の突起方向に対して直交する方向において、小断面突起部の外側にまで拡がっている部分をいう。大断面突起部の断面寸法は、突起部材の突起方向に対して直交する大断面突起部の断面の最大寸法又は最小寸法である。一方、小断面孔部の断面寸法は、大断面突起部の断面寸法が前記の最大寸法である場合は、挿入孔の延びる方向に対して直交する小断面孔部の断面の最大寸法であり、大断面突起部の断面寸法が前記の最小寸法である場合は、挿入孔の延びる方向に対して直交する小断面孔部の断面の最小寸法である。尚、突起部材の突起方向に対して直交する大断面突起部の断面が円形である場合は、大断面突起部の断面寸法は、該円形の断面の外径である。また、挿入孔の延びる方向に対して直交する小断面孔部の断面が円形である場合は、小断面孔部の断面寸法は、該円形の断面の内径である。また、突起部材の突起方向に対して直交する大断面突起部の断面、及び、挿入孔の延びる方向に対して直交する小断面孔部の断面が矩形である場合、大断面突起部の断面寸法は、突起部材の突起方向に対して直交する大断面突起部の断面の長辺又は短辺の長さである。また、突起部材の突起方向に対して直交する大断面突起部の断面、及び、挿入孔の延びる方向に対して直交する小断面孔部の断面が矩形である場合、小断面孔部の断面寸法は、大断面突起部の断面寸法が前記の長辺の長さであるときは、挿入孔の延びる方向に対して直交する小断面孔部の断面の長辺の長さであり、突起部材の断面寸法が前記の短辺の長さであるときは、挿入孔の延びる方向に対して直交する小断面孔部の断面の短辺の長さである。また、突起部材の突起方向に対して直交する大断面突起部の断面、及び、挿入孔の延びる方向に対して直交する小断面孔部の断面が楕円である場合、大断面突起部の断面寸法は、突起部材の突起方向に対して直交する大断面突起部の断面の長軸又は短軸の長さである。また、突起部材の突起方向に対して直交する大断面突起部の断面、及び、挿入孔の延びる方向に対して直交する小断面孔部の断面が楕円である場合、小断面孔部の断面寸法は、大断面突起部の断面寸法が前記の長軸の長さであるときは、挿入孔の延びる方向に対して直交する小断面孔部の断面の長軸の長さであり、大断面突起部の断面寸法が前記の短軸の長さであるときは、挿入孔の延びる方向に対して直交する小断面孔部の断面の短軸の長さである。
【００１５】
突起部材の大断面突起部は、断面寸法が変動するように伸縮可能であるので、弾性的に断面寸法が収縮した状態で挿入孔の小断面孔部を通過することで、大断面孔部に入り込むことができる。大断面突起部の断面寸法は、小断面孔部の断面寸法よりよりも大きいため、大断面突起部は、大断面孔部に入り込むと、弾性的に断面寸法が大きくなるように伸張する。更に、大断面孔部は、小断面孔部の外側にまで拡がっているので、大断面突起部は、この伸張によって、小断面孔部の外側にまで拡がる。よって、大断面突起部が大断面孔部に挿入された状態で、突起部材を挿入孔から引き抜こうとすると、大断面突起部が小断面孔部の外側にまで拡がっているので、大断面突起部及び小断面突起部によって形成された段差部が、挿入孔の小断面孔部及び大断面孔部によって形成された段差部と係合し、突起部材が挿入孔から抜けることが阻止される。従って、かかる好ましい構成においては、突起部材が挿入孔から抜け難く、ひいては、眼鏡フレーム装着時において、振動や重力の影響等によって、眼鏡フレーム本体から眼鏡取り付け具が外れることが防止される。
【００１６】
好ましい構成として、前記先セル及び前記突起部材の何れか一方に磁石が、何れか他方に磁着部が設けられ、前記突起部材を前記挿入孔に挿入した状態において、前記先セルと前記突起部材とが磁着する構成を挙げることができる。
【００１７】
かかる好ましい構成の磁着部としては、磁性体、及び、いずれか一方に設けられる磁石と極性が反対の磁石を挙げることができる。磁石又は磁着部が設けられる先セルの位置としては、例えば、挿入孔を区画する先セルの内表面とすることができる。磁石と磁着部とが設けられることにより、突起部材を挿入孔に挿入すると、磁石と磁着部とによって、突起部材と先セルとが磁着するので、突起部材が挿入孔から抜けることが防止され、ひいては、眼鏡フレーム装着時において、振動や重力の影響等によって、眼鏡フレーム本体から眼鏡取り付け具が外れることが防止される。
【考案の効果】
【００１８】
本考案は、先セルに眼鏡取り付け具を着脱自在に取り付けることが可能であると共に、当該眼鏡取り付け具の取り付けによって先セルに傷が生じたり、眼鏡取り付け具が破損したりすることが防止された眼鏡フレームを提供することができる。
【考案を実施するための最良の形態】
【００１９】
図１は本実施形態に係る眼鏡フレーム１の構成図であり、図１（ａ）は一部省略側面図を示し、図１（ｂ）は図１（ａ）のＡ−Ａ断面図を示し、図１（ｃ）は図１（ａ）のＢ−Ｂ断面図を示す。図１（ａ）に示すように、眼鏡フレーム１は、眼鏡フレーム本体２と、眼鏡取り付け具３とを備える。
【００２０】
図１（ａ）に示すように、眼鏡フレーム本体２は、前枠２１、一対のテンプル２２、先セル２３、挿入孔２４及び軸部材２６を具備する。前枠２１は、レンズを保持するための部材であり、テンプル２２は、前枠２１の両端からそれぞれ後方に延出されている。先セル２３は、テンプル２２の後部を挿入するための挿入孔（図示せず）を内側に有し、図１（ｂ）に示すように、該挿入孔（内側）にテンプル２２が挿入されている。図１（ｂ）に示すように、挿入孔２４は、先セル２３の下面に開口部２５を有し、該開口部２５から略上方に延びている。挿入孔２４は、先セル２３の挿入孔に挿入されたテンプル２２の後部まで延び、先セル２３及びテンプル２２の後部に跨って設けられている。このように、挿入孔２４は、上下方向（図１（ａ）の矢印Ｚ方向）に延びる穴であるため、挿入孔２４は、前枠２１から後方に延びるテンプル２２の長手方向（図１（ａ）の矢印Ｘ方向）に対して略直交方向に延びている。挿入孔２４の形状は、挿入孔２４の延びる上下方向に対して直交する断面が円形の断面寸法（内径）がｒ１の円柱状とされている。尚、本実施形態では、挿入孔２４は、先セル２３及びテンプル２２の後部に跨って設けられているが、テンプル２２の後部まで延びず、先セル２３にのみ設けられてもよい。図１（ａ）に示すように、軸部材２６は、先セル２３の挿入孔２４が設けられた部位より後方の所定部に取り付けられている。図１（ｃ）に示すように、先セル２３の軸部材２６が取り付けられる部分は、左右方向両端部を除き下部が切除された凹状に形成されている。軸部材２６は、先セル２３の左右方向両端部に掛け渡されるように、その長手方向が先セル２３の左右方向に向くように取り付けられている。軸部材２６の形状は、軸部材２６の長手方向に対して直交する断面が円形の断面寸法（外径）がｒ２の円柱状とされている。
【００２１】
以上に説明した眼鏡フレーム本体２の先セル２３に、眼鏡取り付け具３が着脱自在に取り付けられる。図２は眼鏡取り付け具３の構成図であり、図２（ａ）は側面図を示し、図２（ｂ）は図２（ａ）の点線Ｐで囲まれた部分の拡大図を示す。図２（ａ）に示すように、眼鏡取り付け具３は、揺動部材３１と、耳当て部材３４と、突起部材３５と、絡み防止部材３６とを具備する。
【００２２】
図３は揺動部材３１の側面図であり、図３（ａ）は揺動部材３１に外力が生じていないときの揺動部材３１の側面図を示し、図３（ｂ）は揺動部材３１の挿入空間部３３に軸部材２６を挿脱するときの揺動部材３１の側面図を示す。図３に示すように、揺動部材３１は、開口部３２と、軸部材２６が開口部３２を押し拡げて、開口部３２を通過することによって、軸部材２６が挿脱可能に、且つ、その軸周りに揺動可能に挿入される挿入空間部３３とを有する。更に、揺動部材３１は、耳当て部材３４に取り付けられた基端部３１１と、基端部３１１に取り付けられた側面視Ｃ字状の先端部３１２とを有し、開口部３２は、先端部３１２の両端部３１２ａ、３１２ｂの間の空間であり、挿入空間部３３は、先端部３１２の内側の空間である。尚、開口部３２の大きさ（挿入部３１２の両端部３１２ａ、３１２ｂの間隔）ｓ１は、軸部材２６の外径ｒ２よりも小さい。このような挿入空間部３３への軸部材２６の挿入は、まず、図３（ｂ）に示すように、開口部３２の大きさｓ１が軸部材２６の外径ｒ２よりも大きくなるように開口部３２を押し拡げ、その後、軸部材２６を開口部３２を介して挿入空間部３３に移動させることで行う。このように、軸部材２６が挿入空間部３３に挿入されると、軸部材２６及び揺動部材３１が、相対的に軸部材２６の軸周りに揺動することができる。一方、軸部材２６の挿入空間部３３からの抜き出しは、まず、開口部３２の大きさｓ１が軸部材２６の外径ｒ２よりも大きくなるように開口部３２を押し拡げ、その後、軸部材２６を開口部３２を介して挿入空間部３３から外部の空間に移動させることで行う。以上のように、開口部３２の大きさｓ１が、軸部材２６の外径ｒ２より小さいと、軸部材２６の抜き出しは、開口部３２を拡げる必要があるので、振動や重力等の影響によって軸部材２６が挿入空間部３３から抜け出てることが防止される。
【００２３】
図２（ａ）に示すように、眼鏡取り付け具３に具備される耳当て部材３４は、揺動部材３１の取り付けられている。この耳当て部材３４は、眼鏡フレーム本体２に眼鏡取り付け具３を取り付けた状態で、眼鏡フレーム１を使用者が装着したとき、使用者の耳Ｅの裏側に当接する。
【００２４】
眼鏡取り付け具３に具備される突起部材３５は、眼鏡フレーム本体２の挿入孔２４に挿脱可能に挿入される。図２（ｂ）に示すように、突起部材３５の形状は、突起方向に対して直交する断面が円形の断面寸法（外径）が挿入孔２４の内径ｒ１より大きいｒ４の円柱状に形成されている。突起部材３５は、弾性的に断面寸法、即ち、外径が変動するように伸縮可能な部材で構成されている。突起部材３５の外径ｒ４は、挿入孔２４の内径ｒ１より大きいため、突起部材３５が挿入孔２４に挿入された状態においては、突起部材３５は、弾性的に断面寸法が小さくなるように収縮している。よって、突起部材３５が挿入孔２４に挿入された状態においては、突起部材３５の外径が大きくなるように伸張する弾性力が突起部材３５に生じ、該弾性力によって、突起部材３５が挿入孔２４の周囲を形成する先セル２３及びテンプル２２の後部を押圧することで、突起部材３５と先セル２３及びテンプル２２の後部との間に強い摩擦力が作用する。従って、突起部材３５の外径ｒ４が挿入孔２４の内径ｒ１より大きいことによって、突起部材３５が挿入孔２４から抜け難い。
【００２５】
図２（ａ）に示すように、眼鏡取り付け具３に具備される絡み防止部材３６は、突起部材３５に取り付けられ、突起部材３５と耳当て部材３４の前端部３４１とを連結する可撓性の部材である。
【００２６】
以上のような眼鏡取り付け具３は、揺動部材３１の挿入空間部３３に、眼鏡フレーム本体２の軸部材２６を挿入させ、突起部材３５を眼鏡フレーム本体２の挿入孔２４に挿入することで、図１（ａ）に示すように、眼鏡フレーム本体２の先セル２３に取り付けることができる。一方、眼鏡取り付け具３は、軸部材２６を挿入空間部３３から抜き出し、眼鏡フレーム本体２の挿入孔２４から眼鏡取り付け具３の突起部材３５を抜き出すことで、眼鏡フレーム本体２の先セル２３から取り外すことができる。
【００２７】
図１（ａ）に示すように、眼鏡フレーム本体２に眼鏡取り付け具３を取り付けた状態の眼鏡フレーム１は、耳当て部材３４を耳Ｅの裏側に掛け、前枠２１に取り付けられた鼻パッド２１１を鼻に掛けることで、装着することができる。装着時においては、耳当て部材３４が耳の裏側に掛かるため、耳Ｅによって突起部材３５が挿入孔２４から抜け出ることが阻止され、突起部材３５が挿入孔２４から抜け出る恐れがない。よって、眼鏡フレーム１の装着時においては、耳当て部材３４が耳の裏側に掛かること、及び、前述のように、突起部材３５の外径ｒ４が挿入孔２４の内径ｒ１より大きいことによって、突起部材３５が挿入孔２４から抜けることの防止がより一層図られる。更に、前述のように、振動や重力等の影響によって軸部材２６が挿入空間部３３から抜け出てることが防止される。よって、眼鏡フレーム１は、軸部材２６が挿入空間部３３から抜け出ること、及び、突起部材３５が挿入孔２４から抜け出ることが防止されているので、眼鏡フレーム１を使用者が装着しているときは、振動や重力の影響等によって、眼鏡フレーム本体２から眼鏡取り付け具３が外れることが防止されている。
【００２８】
また、眼鏡フレーム１は、眼鏡フレーム本体２に眼鏡取り付け具３を取り付けた状態で装着されたときの前枠２１のずれ落ちが防止されている。図１（ａ）及び図４（ａ）に示すように、眼鏡フレーム本体２に眼鏡取り付け具３を取り付けた状態の眼鏡フレーム１を装着したときにおいて、前枠２１がずれ落ちようとすると、前枠２１に延出されたテンプル２２の後部はずれ上がろうとし、先セル２３に取り付けられた眼鏡取り付け具３の耳当て部材３４を上方へ移動させようとする。そして、耳当て部材３４が上方へ移動しようとすると、軸部材２６の軸周りに揺動部材３１及び耳当て部材３４は前回り方向（図４（ａ）において左回り）へ回転しようとする（揺動部材３１及び耳当て部材３４が、図４（ｂ）の状態になろうとする）。
【００２９】
このとき、耳当て部材３４の前端部３４１が耳の裏側を押圧する力が大きくなり、その結果、耳当て部材３４と耳の裏側との相対的な移動が阻止され（耳当て部材３４は、図４（ａ）に示される状態に戻ろうとし）、テンプル２２の後部のずれ上がりが阻止される。このようにして、眼鏡フレーム１のずれ落ちが防止される。
【００３０】
また、眼鏡フレーム１は、眼鏡フレーム本体２に眼鏡取り付け具３を取り付けた状態で装着されたときの眼鏡フレーム１に対する髪の毛の絡みも防止されている。眼鏡フレーム１を装着した状態から使用者の顔面及び頭部から取り外す際に、テンプル２２を上方へ持ち上げて、眼鏡フレーム１が図４（ｂ）に示す状態となった場合であっても、先セル２３と耳当て部材３４との間が絡み防止部材３６で塞がれているため、髪の毛が図４（ｂ）に示す矢印Ｗ方向から軸部材２６と揺動部材３１との間に入り込み難く、軸部材２６又は揺動部材３１に絡まることが防止される。また、絡み防止部材３６は、可撓性を有しているため、上記眼鏡フレーム１のずれ落ち防止の機能を阻害することもない。
【００３１】
以上のように、可撓性の絡み防止部材３６が突起部材３５と耳当て部材３４の前端部３４１を連結することにより、鼻に掛かる負担を大きくすることなく眼鏡フレーム１のずれ落ちを防止できると共に、眼鏡フレーム１を外す際に髪の毛の眼鏡フレーム１への絡みを防止することができる。
【００３２】
また、眼鏡フレーム本体２に眼鏡取り付け具３を取り付けた状態においては、挿入孔２４に突起部材３５が挿入されている。前述のように、挿入孔２４は、テンプル２２の長手方向に対して略直交方向に延びている。よって、眼鏡フレーム本体２に眼鏡取り付け具３を取り付け状態においては、テンプル２２の長手方向の力が眼鏡フレーム１に掛かっても、眼鏡取り付け具３がテンプル２２の長手方向にずれ難い。このようにして眼鏡取り付け具３がテンプル２２の長手方向にずれることが防止されているので、眼鏡フレーム１においては、従来のように、クリップ部の内径を小さくする必要が無く、このため、先セル２３に傷が付いたり、眼鏡取り付け具３が破損する恐れがない。また、図１（ｃ）に示すように、軸部材２６は先セル２３の左右方向両端部を除き下部が切除された部分に取り付けられているので、眼鏡フレーム本体２に眼鏡取り付け具３を取り付けた状態においては、軸部材２６及び該軸部材２６を挿入する揺動部材３１は外部から見え難い。また、眼鏡フレーム本体２に眼鏡取り付け具３を取り付けた状態においては、突起部材３５は挿入孔２４に挿入されるため、外部から見えない。よって、眼鏡フレーム１は、眼鏡取り付け具３を取り付けるための軸部材２６、揺動部材３１及び突起部材３５によって外観を損ねることなく、眼鏡フレーム本体２に眼鏡取り付け具３を取り付けた状態で装着することができる。また、眼鏡フレーム本体２から眼鏡取り付け具３を取り外し、眼鏡フレーム本体２のみを装着する場合おいては、先セル２３は耳に掛けられるため、先セル２３の下面に位置する挿入孔２４の開口部２５が外部から見え難い。よって、眼鏡フレーム１は、挿入孔２４によって眼鏡フレーム本体２の外観を損ねることなく眼鏡フレーム本体２のみを装着することもできる。
【００３３】
以上においては、軸部材２６の形状は、軸部材２６の長手方向に対して直交する断面が円形の場合について説明したが、軸部材２６の該断面は円形でなくてもよい。例えば、図５（ａ）に示すような正八角形などの多角形状であってもよい。断面が、図５（ａ）に示すような円形で無い場合、軸部材２６の断面寸法は、断面において、寸法が最小となる方向の寸法（最小寸法（図５（ａ）では、矢印Ｖ方向の寸法））とされる。このように、最小寸法を断面寸法とすることで、開口部３２の大きさｓ１は、最小寸法よりも小さくなり、開口部３２を押し拡げなければ、軸部材２６が挿入空間部３３から抜け出ることができない。よって、最小寸法を断面寸法とすることで、振動や重力によって軸部材２６が挿入空間部３３から抜け出ることを防止することができる。
【００３４】
また、以上においては、挿入孔２４の形状は、挿入孔２４の延びる方向に対して直交する断面が円形であり、突起部材３５の形状は、突起方向に対して直交する断面が円形である場合について説明したが、挿入孔２４及び突起部材３５の前記断面は円形でなくてもよく、図５（ｂ）及び図５（ｃ）に示すような長方形などの多角形状であってもよい。断面が円形で無い場合、挿入孔２４及び突起部材３５の断面寸法は、挿入孔２４の延びる方向（突起部材３５においては突起方向）に対して直交する断面における最大寸法又は最小寸法とすることができる。例えば、図５（ｂ）及び図５（ｃ）に示すように、挿入孔２４及び突起部材３５の断面が長方形である場合を例として説明する。挿入孔２４及び突起部材３５の断面寸法をそれぞれの最大寸法（長手方向の寸法）ｒａ、ｒｃ（ｒａ＜ｒｃ）とした場合、突起部材３５を挿入孔２４に挿入する場合は、突起部材３５は、最大寸法（図５（ｃ）の断面における長手方向）が小さくなるように収縮する。また、挿入孔２４及び突起部材３５の断面寸法をそれぞれの最小寸法（短手方向の寸法）ｒｂ、ｒｄ（ｒｂ＜ｒｄ）とした場合、突起部材３５の挿入部２４の寸法が最小となる方向の寸法（図５（ｂ）では、矢印Ｕ方向）は、突起部材３５がどの方向に向いていても、挿入部２４の最小寸法ｒｂよりもよりも大きくなる。よって、突起部材３５を挿入孔２４に挿入する場合は、突起部材３５は、最小寸法（図５（ｃ）の断面における短手方向）が小さくなるように収縮する。従って、挿入孔２４及び突起部材３５の断面が円形でない場合、挿入孔２４及び突起部材３５の断面寸法は、挿入孔２４の延びる方向（突起部材３５においては突起方向）に対して直交する断面における最大寸法又は最小寸法とすることで、突起部材３５が挿入孔から抜け難くすることができる。
【００３５】
挿入孔２４と突起部材３５との変形例として、図６に示す形状の挿入孔２４と突起部材３５を挙げることができる。挿入孔２４は、図６（ａ）に示すように、小断面孔部２４１、大断面孔部２４２、及び、段差部２４３を有する。小断面孔部２４１は、開口部２５と連設され、小断面孔部２４１の形状は、挿入孔２４の延びる方向（図６（ａ）の矢印Ｔ方向）に対して直交する断面が円形の断面寸法（内径）がｒ５の円柱状である。大断面孔部２４２は、小断面孔部２４１に連設し、且つ、小断面孔部２４１の奥側に位置する。この大断面孔部２４２の形状は、挿入孔２４の延びる方向に対して直交する断面が円形であり、奥側に向かうに従い細くなった円錐状である。大断面孔部２４２の挿入孔２４の延びる方向に対して直交する断面における最大径ｒ６は、小断面孔部２４１の外径ｒ５より大きい。また、図６（ａ）に示すように、大断面孔部２４２は、挿入孔２４が延びる方向に対して直交する方向において、小断面孔部２４１の外側にまで拡がっている。段差部２４３は、小断面孔部２４１及び大断面孔部２４２によって形成されている。段差部２４３は、小断面孔部２４１と大断面孔部２４２との境目に形成され、挿入孔２４の延びる方向に対して略直交し、且つ、挿入孔２４を区画する先セル２３の内表面である。尚、段差部２４３は、先セル２３の内表面に限らず、例えば、小断面孔部２４１がテンプル２２まで延び、小断面孔部２４１と大断面孔部２４２との境目がテンプル２２内にあるときは、段差部２４３は、テンプル２２の内表面となる。
【００３６】
突起部材３５は、図６（ａ）に示すように、小断面突起部３５１、大断面突起部３５２、及び、段差部３５３を有する。小断面突起部３５１は、基端部３５１ａに絡み防止部材３６が取り付けられている。大断面突起部３５２は、小断面突起部３５２の先端部３５１ｂと連設している。この大断面突起部３５２の形状は、突起部材３５の突起方向に対して直交する断面が円形であり、小断面突起部３５１の先端部３５１ｂから離れるに従い細くなった円錐状である。大断面突起部３５２の突起部材３５の延びる方向に対して直交する断面における最大径（断面寸法）ｒ７は、挿入孔２４の小断面孔部２４１より内径ｒ５より大きい。更に、大断面突起部３５２は、弾性的に断面寸法が変動するように伸縮可能である。図６（ａ）に示すように、大断面突起部３５２は、突起部材３５の突起方向（図６（ａ）の矢印Ｔ方向）に対して直交する方向において、小断面突起部３５１の外側にまで拡がっている。段差部３５３は、小断面突起部３５１と大断面突起部３５２との境目に形成された、突起部材３５の表面である。
【００３７】
挿入孔２４及び突起部材３５がこのような形状の場合、突起部材３５を挿入孔２４に挿入すると、図６（ｂ）に示すように、突起部材３５の大断面突起部３５２の最大径ｒ７が挿入孔２４の小断面孔部２４１の内径ｒ５よりも大きいため、大断面突起部３５２は断面寸法が小さくなるように収縮して、挿入孔２４の小断面孔部２４１に入り込む。そして、更に挿入孔２４の奥へと突起部材３５を挿入すると、大断面突起部３５２は小断面孔部２４１を通過して、大断面孔部２４２に入り込む。大断面突起部３５２の最大径ｒ７は、小断面孔部２４１の内径ｒ５よりよりも大きいため、大断面突起部３５２は、大断面孔部２４２に入り込むと、図６（ｃ）に示すように、最大径ｒ７が大きくなるように伸張する。更に、大断面孔部３５２は、小断面孔部３５１の外側にまで拡がっているので、大断面突起部３５２は、この伸張によって、小断面孔部３５１の外側にまで拡がる。大断面突起部３５２が大断面孔部２４２に挿入された状態で、突起部材３５を挿入孔２４から引き抜こうとすると、大断面突起部３５２が小断面孔部２４１の外側にまで拡がっているので、段差部３５３が、段差部２４３と係合し、突起部材３５が挿入孔２４から抜けることが阻止される。従って、挿入孔２４及び突起部材３５がこのような形状の場合においても、突起部材３５が挿入孔２４から抜け難く、ひいては、眼鏡フレーム１装着時において、振動や重力の影響等によって、眼鏡フレーム本体２から眼鏡取り付け具３が外れることが防止される。
【００３８】
以上の実施形態においては、突起部材３５の断面寸法を挿入孔２４の断面寸法より大きくすることにより、突起部材３５が挿入孔２４から抜け難くなることを説明した。突起部材３５が挿入孔２４から抜け難くなる他の構成として、先セル２３及び突起部材３５の何れか一方に磁石が、何れか他方に磁着部が設けられ、突起部材３５を挿入孔２４に挿入した状態において、先セル２３と突起部材３５とが磁着する構成を挙げることができる。また、突起部材３５が挿入孔２４からより一層抜け難くなる構成として、図１に示す実施形態における先セル２３と、挿入孔２４の断面寸法よりも断面寸法が大きい突起部材３５との何れか一方に磁石が、何れか他方に磁着部が設けられ、突起部材３５を挿入孔２４に挿入した状態において、先セル２３と突起部材３５とが磁着する構成を挙げることができる。また、突起部材３５が挿入孔２４からより一層抜け難くなる他の構成として、図６に示す変形例の先セル２３及び突起部材３５の何れか一方に磁石が、何れか他方に磁着部が設けられ、突起部材３５を挿入孔２４に挿入した状態において、先セル２３と突起部材３５とが磁着する構成を挙げることができる。
【００３９】
図７は、突起部材３５が挿入孔２４から抜け難くなる他の構成における先セル２３及び突起部材３５の具体的な構成を示す図である。図７に示すように、先セル２３には磁石４１が設けられ、突起部材３５には磁性体４２が設けられている。先セル２３の磁石４１が設けられる位置としては、図７に示すように、挿入孔２４を区画する先セル２３の内表面２３１を挙げることができる。尚、前述の実施形態においては、挿入孔２４は、テンプル２２の後部まで延び、テンプル２２の後部にも、挿入孔２４を区画する内表面２２１が有されている。このように、テンプル２２の後部に内表面２２１が有されている場合は、図７に示すように、テンプル２２の内表面２２１にも磁石４１を設けてもよい。
【００４０】
一方、突起部材３５の磁着部４２が設けられる位置としては、図７に示すように、突起部材３５の表面を挙げることができる。磁着部４２としては、磁性体、又は、先セル２４に設けられる磁石４１と極性が反対の磁石を挙げることができる。
【００４１】
このような磁石４１及び磁着部４２を設ける構成によれば、突起部材３５を挿入孔２４に挿入すると、磁石４１と磁着部４２とによって、突起部材３５と先セル２３とが磁着する。よって、かかる構成によれば、突起部材３５が挿入孔２４から抜けることが防止され、ひいては、眼鏡フレーム１装着時において、振動や重力の影響等によって、眼鏡フレーム本体２から眼鏡取り付け具３が外れることが防止される。尚、図７においては、磁石４１が先セル２３の内表面２３１及びテンプル２２の後部の内表面２２１に、磁性体４２が突起部材３５の表面に設けられているが、磁石４１は、突起部材３５の表面に、磁性体４２が先セル２３の内表面２３１及びテンプル２２の後部の内表面２２１に設けられてもよい。
【図面の簡単な説明】
【００４２】
【図１】図１は実施形態に係る眼鏡フレームの構成図であり、図１（ａ）は一部省略側面図を示し、図１（ｂ）は図１（ａ）のＡ−Ａ断面図を示し、図１（ｃ）は図１（ａ）のＢ−Ｂ断面図を示す。
【図２】図２は実施形態に係る眼鏡取り付け具の構成図であり、図２（ａ）は側面図を示し、図２（ｂ）は図２（ａ）の点線Ｐで囲まれた部分の拡大図を示す。
【図３】図３は実施形態に係る揺動部材の側面図であり、図３（ａ）は揺動部材に外力が生じていないときの揺動部材の側面図を示し、図３（ｂ）は揺動部材の挿入空間部に軸部材を挿脱するときの揺動部材の側面図を示す。
【図４】図４は、実施形態に係る眼鏡フレームの側面図であり、図４（ａ）は耳当て部材が先セルに沿った状態の側面図を示し、図４（ｂ）は、耳当て部材及び揺動部材が前方周りに揺動した状態の側面図を示す。
【図５】図５は実施形態に係る眼鏡フレームの変形例を示す図であり、図５（ａ）は軸部材の長手方向に対して直交する断面図を示し、図５（ｂ）は挿入孔の延びる方向に対して直交する挿入孔の断面図を示し、図５（ｃ）は突起部材の突起方向に対して直交する突起部材の断面図を示す。
【図６】図６は実施形態に係る眼鏡フレームの変形例を示す図であり、図６（ａ）は挿入孔に突起部材が挿入されていない状態を、図６（ｂ）は挿入孔の小断面孔部に突起部材の大断面突起部が挿入されている状態を、図６（ｃ）は挿入孔の大断面孔部に突起部材の大断面突起部が挿入されている状態を示す。
【図７】図７は突起部材が挿入孔から抜け難くなる他の構成における先セル及び突起部材の具体的な構成を示す図である。
【符号の説明】
【００４３】
１…眼鏡フレーム、２…眼鏡フレーム本体、２１…前枠、２２…テンプル、２３…先セル、２４…挿入孔、２５…開口部、２６…軸部材、３…眼鏡取り付け具、３１…揺動部材、３２…開口部、３３…挿入空間部、３４…耳当て部材、３５…突起部材、３６…絡み防止部材、４１…磁石、４２…磁着部
【図１】
0003139166.tif 000003
【図２】
0003139166.tif 000004
【図３】
0003139166.tif 000005
【図４】
0003139166.tif 000006
【図５】
0003139166.tif 000007
【図６】
0003139166.tif 000008
【図７】
0003139166.tif 000009